(57)【特許請求の範囲】
【請求項１】
建物の躯体に固定された第一壁ブロックと、
前記第一壁ブロックとは裏表の位置で前記躯体に固定され、前記第一壁ブロックと共に間仕切り壁の主要部を構成する第二壁ブロックとを具備し、
前記第一壁ブロックは、スタッドと吸音材が一体に組み込まれた複数の第一パネルが、一方向に沿って並んだ構造を有し、
前記第二壁ブロックは、スタッドと吸音材が一体に組み込まれた複数の第二パネルが、前記一方向に沿って並んだ構造を有し、
前記複数の第一パネルと前記複数の第二パネルには、前記スタッドを一対備えた基本パネルがそれぞれ含まれており、
前記基本パネルにおいて、前記スタッドは、前記基本パネルの横方向の一端部と中央部に位置しかつ他端部には位置しないように備えられ、前記吸音材は、前記一端部に位置する前記スタッドと前記中央部に位置する前記スタッドとの間に取り付けられ、かつ、前記中央部に位置する前記スタッドと前記他端部との間に取り付けられている
ことを特徴とする間仕切り壁の構造。
【請求項２】
スタッドと吸音材が一体に組み込まれたスタートパネルをさらに備え、
前記スタートパネルは、前記第一壁ブロックよりも前記躯体の外壁側に固定され、前記一方向に沿って前記第一壁ブロックと並んで位置する
ことを特徴とする請求項１に記載の間仕切り壁の構造。
【請求項３】
前記複数の第一パネルの各々に組み込まれた前記スタッドと、前記複数の第二パネルの各々に組み込まれた前記スタッドとが、前記一方向に沿って千鳥状に位置する
ことを特徴とする請求項１または２に記載の間仕切り壁の構造。
【請求項４】
前記複数の第一パネルと前記複数の第二パネルの少なくとも一部は、一面側のうち下部を除いた領域に、ボードが貼り付けられたパネルである
ことを特徴とする請求項１〜３のいずれか一項に記載の間仕切り壁の構造。
【請求項５】
前記複数の第一パネルと前記複数の第二パネルはそれぞれ、前記躯体の梁構造に固定される取付金具が、上端部に固定されたものである
ことを特徴とする請求項１〜４のいずれか一項に記載の間仕切り壁の構造。
【請求項６】
前記建物は、複数の住戸が水平方向に隣接する集合住宅であり、
前記間仕切り壁は、前記複数の住戸を仕切る界壁である
ことを特徴とする請求項１〜５のいずれか一項に記載の間仕切り壁の構造。
【請求項７】
スタッドと吸音材があらかじめ一体に組み込まれた複数の第一パネルを用い、前記複数の第一パネルを、一方向に並んだ状態で建物の躯体に固定することで、第一壁ブロックを形成する第一パネル設置工程と、
スタッドと吸音材があらかじめ一体に組み込まれた複数の第二パネルを用い、前記複数の第二パネルを、前記一方向に並んだ状態で前記躯体に固定することで、前記第一壁ブロックとは裏表の位置に第二壁ブロックを形成する第二パネル設置工程とを備え、
前記複数の第一パネルと前記複数の第二パネルには、前記スタッドを一対備えた基本パネルがそれぞれ含まれており、
前記基本パネルにおいて、前記スタッドは、前記基本パネルの横方向の一端部と中央部に位置しかつ他端部には位置しないように備えられ、前記吸音材は、前記一端部に位置する前記スタッドと前記中央部に位置する前記スタッドとの間に取り付けられ、かつ、前記中央部に位置する前記スタッドと前記他端部との間に取り付けられており、
前記第一壁ブロックと前記第二壁ブロックとで間仕切り壁の主要部を形成する
ことを特徴とする間仕切り壁の施工方法。
【請求項８】
スタッドと吸音材があらかじめ一体に組み込まれたスタートパネルを、前記躯体に固定するスタートパネル設置工程をさらに含み、
前記スタートパネル設置工程で、前記スタートパネルを前記躯体に固定した後に、
前記第一パネル設置工程で、前記一方向に沿って前記スタートパネルと並んで位置するように、前記複数の第一パネルを前記躯体に固定する
ことを特徴とする請求項７に記載の間仕切り壁の施工方法。
【請求項９】
前記第二パネル設置工程では、前記複数の第一パネルの各々に組み込まれた前記スタッドと、前記複数の第二パネルの各々に組み込まれた前記スタッドとが、前記一方向に沿って千鳥状に位置するように、前記複数の第二パネルを前記躯体に固定する
ことを特徴とする請求項７または８に記載の間仕切り壁の施工方法。
【請求項１０】
前記複数の第一パネルと前記複数の第二パネルの少なくとも一部は、一面側のうち下部を除いた部分を覆うように、ボードが貼り付けられたパネルで構成され、
前記躯体に固定された前記パネルの下部を覆うように、前記パネルに下部ボードを貼り付ける貼付工程を、更に備える
ことを特徴とする請求項７〜９のいずれか一項に記載の間仕切り壁の施工方法。
【請求項１１】
前記複数の第一パネルと前記複数の第二パネルはそれぞれ、取付金具が上端部に固定されたものであり、
前記第一パネル設置工程では、前記躯体に固定された梁下金具に対して、前記複数の第一パネルのそれぞれの前記取付金具が固定され、
前記第二パネル設置工程では、前記梁下金具に対して、前記複数の第二パネルのそれぞれの前記取付金具が固定される
ことを特徴とする請求項７〜１０のいずれか一項に記載の間仕切り壁の施工方法。
【請求項１２】
前記建物は、複数の住戸が水平方向に隣接する集合住宅であり、
前記間仕切り壁は、前記複数の住戸を仕切る界壁である
ことを特徴とする請求項７〜１１のいずれか一項に記載の間仕切り壁の施工方法。
【発明の詳細な説明】
【技術分野】
【０００１】
本発明は、間仕切り壁の構造及び施工方法に関し、詳しくは、パネルを用いて遮音性の高い間仕切り壁を形成する構造及び施工方法に関する。
【背景技術】
【０００２】
特許文献１には、建物内部の空間を区切るように形成された間仕切り壁の構造が、記載されている。
【０００３】
この間仕切り壁の構造は、スタッドをあらかじめ固着したボードと、単独のボードとを用い、両者を現場で固定することによって形成される。
【先行技術文献】
【特許文献】
【０００４】
【特許文献１】特開２００７−３０８９６９号公報
【発明の概要】
【発明が解決しようとする課題】
【０００５】
上記した従来の間仕切り壁の構造において、さらに遮音性を高めようとするには、固定するボードの間に、大量の吸音材を取り付けることが考えられる。しかし、大量の吸音材の取り付け作業を現場で行うと、施工の負担が増大する。
【０００６】
また、大量の吸音材をあらかじめボードに組み込んだ場合には、ボードの重量が増大することで、やはり施工の負担が増大する。
【０００７】
本発明は、間仕切り壁の遮音性を高めることができ、かつ、施工の際の負担を抑えることのできる間仕切り壁の構造及び間仕切り壁の施工方法を提供することを、目的とする。
【課題を解決するための手段】
【０００８】
本発明に係る形態の間仕切り壁の構造は、建物の躯体に固定された第一壁ブロックと、前記第一壁ブロックとは裏表の位置で前記躯体に固定され、前記第一壁ブロックと共に間仕切り壁の主要部を構成する第二壁ブロックとを具備する。
【０００９】
前記第一壁ブロックは、スタッドと吸音材が一体に組み込まれた複数の第一パネルが、一方向に沿って並んだ構造を有する。
【００１０】
前記第二壁ブロックは、スタッドと吸音材が一体に組み込まれた複数の第二パネルが、前記一方向に沿って並んだ構造を有する。前記複数の第一パネルと前記複数の第二パネルには、前記スタッドを一対備えた基本パネルがそれぞれ含まれている。前記基本パネルにおいて前記スタッドは、前記基本パネルの横方向の一端部と中央部に位置しかつ他端部には位置しないように備えられている。前記吸音材は、前記一端部に位置する前記スタッドと前記中央部に位置する前記スタッドとの間に取り付けられ、かつ、前記中央部に位置する前記スタッドと前記他端部との間に取り付けられている。
【００１１】
また、本発明に係る形態の間仕切り壁の施工方法は、第一パネル設置工程と、第二パネル設置工程とを備える。
【００１２】
前記第一パネル設置工程では、スタッドと吸音材があらかじめ一体に組み込まれた複数の第一パネルを用い、前記複数の第一パネルを、一方向に並んだ状態で建物の躯体に固定することで、第一壁ブロックを形成する。
【００１３】
前記第二パネル設置工程では、スタッドと吸音材があらかじめ一体に組み込まれた複数の第二パネルを用い、前記複数の第二パネルを、前記一方向に並んだ状態で前記躯体に固定することで、前記第一壁ブロックとは裏表の位置に第二壁ブロックを形成する。前記複数の第一パネルと前記複数の第二パネルには、前記スタッドを一対備えた基本パネルがそれぞれ含まれている。前記基本パネルにおいて前記スタッドは、前記基本パネルの横方向の一端部と中央部に位置しかつ他端部には位置しないように備えられている。前記吸音材は、前記一端部に位置する前記スタッドと前記中央部に位置する前記スタッドとの間に取り付けられ、かつ、前記中央部に位置する前記スタッドと前記他端部との間に取り付けられている。
【００１４】
そして、前記第一壁ブロックと前記第二壁ブロックが合わさった構造で、間仕切り壁の主要部を形成する。
【発明の効果】
【００１５】
本発明の間仕切り壁の構造及び施工方法は、遮音性の高い間仕切り壁を得ることができ、かつ、施工の際の負担を抑えることができるという効果を奏する。
【図面の簡単な説明】
【００１６】
【図１】一実施形態の間仕切り壁を示す正面図である。
【図２】図１のＩ−Ｉ線断面図である。
【図３】図２のＩＩ−ＩＩ線断面図である。
【図４】図４Ａは一実施形態の間仕切り壁の施工に用いるスタートパネルを示す正面図であり、図４Ｂは図４ＡのＩＩＩ−ＩＩＩ線断面図であり、図４Ｃは図４ＡのＩＶ−ＩＶ線断面図である。
【図５】図５Ａは一実施形態の間仕切り壁の施工に用いる第一パネルを示す正面図であり、図５Ｂは図５ＡのＶ−Ｖ線断面図であり、図５Ｃは図５ＡのＶＩ−ＶＩ線断面図である。
【図６】図６Ａは一実施形態の間仕切り壁の施工に用いる第二パネルを示す正面図であり、図６Ｂは図６ＡのＶＩＩ−ＶＩＩ線断面図であり、図６Ｃは図６ＡのＶＩＩＩ−ＶＩＩＩ線断面図である。
【図７】一実施形態の間仕切り壁の施工において、梁下金具を固定する構造を示す分解斜視図である。
【図８】一実施形態の間仕切り壁の施工において、基礎金具、目板材及びレールを固定する構造を示す要部斜視図である。
【発明を実施するための形態】
【００１７】
一実施形態の間仕切り壁Ｗの構造及び施工方法について、以下に説明する。
【００１８】
図１〜図３には、一実施形態の間仕切り壁Ｗを示している。間仕切り壁Ｗは、建物９の内部空間を仕切る壁である。
【００１９】
本実施形態において、建物９は、複数の住戸９２が水平方向に隣接する集合住宅である。間仕切り壁Ｗは、水平方向に隣接する住戸９２間を仕切る界壁である。
【００２０】
図２等に示すように、間仕切り壁Ｗは、複数（本実施形態では三つ）の第一パネル１０を一方向Ｄ１に並べて形成された第一壁ブロック１と、複数（本実施形態では二つ）の第二パネル２０を一方向Ｄ１に並べて形成された第二壁ブロック２とを備える。
【００２１】
第一壁ブロック１と第二壁ブロック２とは、互いに裏表の位置にある。第一壁ブロック１と第二壁ブロック２が、互いの厚み方向に重ね合わさることで、間仕切り壁Ｗの主要部分が構成される。
【００２２】
本文中では、第一壁ブロック１が組み立てられる側を、間仕切り壁Ｗの「表側」と称し、第二壁ブロック２が組み立てられる側を、間仕切り壁Ｗの「裏側」と称して説明する。
【００２３】
間仕切り壁Ｗは、表側半部と裏側半部に区分される。言い換えれば、第一壁ブロック１で主要部が構成される表側半部と、第二壁ブロック２で主要部が構成される裏側半部とが組み合わさることで、間仕切り壁Ｗが形成される。
【００２４】
間仕切り壁Ｗの表側半部は、第一壁ブロック１（つまり一方向Ｄ１に並んだ三つの第一パネル１０）と、これの外壁９１側に隣接するスタートパネル３０とを含む。
【００２５】
まず、スタートパネル３０について説明する。
【００２６】
図４Ａ〜図４Ｃには、スタートパネル３０を示している。スタートパネル３０は、スタッド３１と吸音材３２と枠材３５があらかじめ一体に組み込まれたパネルであり、工場等で製造された後に、施工現場に搬送される。
【００２７】
スタートパネル３０は、縦に長い矩形状のパネルであり、縦方向に沿って一直線状に伸びる断面十字状のスタッド３１を、一対備える。スタートパネル３０は、横方向の両端部にそれぞれスタッド３１を備える。
【００２８】
また、スタートパネル３０は、縦方向の両端部にそれぞれ枠材３５を備える。一対のスタッド３１と一対の枠材３５が結合することで、スタートパネル３０全体の枠が構成される。
【００２９】
ロックウール等で構成される吸音材３２は、横方向に距離をあけて互いに平行に位置する一対のスタッド３１間に、取り付けられる。スタートパネル３０の縦方向の端部（取付時に上端部となる部分）に位置する枠材３５には、Ｌ字型の取付金具３４が固定される。取付金具３４は、スタートパネル３０の端部から縦方向（取付時に上方向となる方向）に突出する突片３４１を有する。
【００３０】
スタートパネル３０の横方向の寸法は、第一パネル１０や第二パネル２０の横方向の寸法よりも小さい。本実施形態では、スタートパネル３０の横方向の寸法は、後述する基本パネルＰ１の横方向の寸法の１／４程度であり、また、小型パネルＰ２の横方向の寸法の１／２程度である。
【００３１】
次に、第一パネル１０について説明する。
【００３２】
第一壁ブロック１を形成するために用いられる三つの第一パネル１０は、二つの基本パネルＰ１と、一つの小型パネルＰ２とで構成される。
【００３３】
基本パネルＰ１と小型パネルＰ２をどのように組み合わせるかは、適宜に選択可能である。本実施形態では基本パネルＰ１と小型パネルＰ２を用いるが、小型パネルＰ２を用いないことや、あるいは基本パネルＰ１を用いないことも可能である。
【００３４】
図５Ａ〜図５Ｃに示すように、第一壁ブロック１に用いられる基本パネルＰ１は、縦に長い矩形状のパネルであり、工場等で製造された後に、施工現場に搬送される。
【００３５】
基本パネルＰ１は、縦方向に沿って一直線状に伸びる断面十字状のスタッド１１を、一対備える。また、基本パネルＰ１は、縦方向の両端部にそれぞれ枠材１５を備える。
【００３６】
基本パネルＰ１は、横方向の一端部と中央部に、それぞれスタッド１１を備える。横方向に距離をあけて互いに平行に位置する一対のスタッド１１間に、ロックウール等の吸音材１２が取り付けられる。また、基本パネルＰ１の中央部に位置するスタッド１１と、基本パネルＰ１の横方向の他端部との間にも、ロックウール等の吸音材１２が取り付けられる。
【００３７】
基本パネルＰ１の一面側には、吸音材１２の大部分を覆うように、下地材をなすボード１３（石膏ボード）が貼り付けられる。ボード１３の縦方向の長さは、スタッド１１や吸音材１２の縦方向の長さよりも短い。基本パネルＰ１においては、縦方向の一端側の領域（取付時に下部となる領域）を除いて、ボード１３が貼り付けられる。基本パネルＰ１の一面側のうち、ボード１３が貼り付けられない領域（取付時に下部となる領域）では、吸音材１２の一部や枠材１５が露出する。
【００３８】
基本パネルＰ１の縦方向の端部（取付時に上端部となる部分）に位置する枠材１５には、Ｌ字型の取付金具１４が固定される。取付金具１４は、基本パネルＰ１の縦方向の端部から縦方向（取付時に上方向となる方向）に突出する突片１４１を有する。
【００３９】
図６Ａ〜図６Ｃに示すように、第一壁ブロック１に用いられる小型パネルＰ２は、縦に長い矩形状のパネルであり、工場等で製造された後に、施工現場に搬送される。
【００４０】
以下において、小型パネルＰ２の構成のうち基本パネルＰ１と同様の構成には、同一符号を付す。小型パネルＰ２は、縦方向に沿って一直線状に伸びる断面十字状のスタッド１１を、一つ備える。小型パネルＰ２の横方向の寸法は、基本パネルＰ１の横方向の寸法よりも小さく、本実施形態では半分程度である。
【００４１】
小型パネルＰ２は、横方向の一端部にスタッド１１を備える。このスタッド１１と、小型パネルＰ２の横方向の他端部との間に、吸音材１２が取り付けられる。
【００４２】
小型パネルＰ２の一面側には、吸音材１２の大部分を覆うように、下地材をなすボード１３が貼り付けられる。ボード１３の縦方向の長さは、スタッド１１や吸音材１２の縦方向の長さよりも短い。小型パネルＰ２においても、縦方向の一端側の領域を除いて、ボード１３が貼り付けられる。小型パネルＰ２の一面側のうちボード１３が貼り付けられない領域からは、吸音材１２の一部や枠材１５が露出する。
【００４３】
なお、小型パネルＰ２にはボード１３を貼り付けないことも可能である。この場合、施工現場において小型パネルＰ２を固定した後に、小型パネルＰ２に対して下地材をなすボードを貼り付ける。
【００４４】
小型パネルＰ２の縦方向の端部に位置する枠材１５には、Ｌ字型の取付金具１４が固定される。取付金具１４が有する突片１４１は、小型パネルＰ２の縦方向の端部から突出する。
【００４５】
次に、第二パネル２０について説明する。
【００４６】
第二壁ブロック２を形成するために用いられる二つの第二パネル２０は、二つの基本パネルＰ１で構成される。
【００４７】
第二壁ブロック２に用いられる基本パネルＰ１は、第一壁ブロック１に用いられる基本パネルＰ１（図５Ａ−図５Ｃ参照）と同様の構造である。第一壁ブロック１と第二壁ブロック２とで、基本パネルＰ１は共通化されており、工場等で一括して製造される。
【００４８】
つまり、基本パネルＰ１で構成される第二パネル２０は、縦に長い矩形状のパネルであり、縦方向に沿って一直線状に伸びる断面十字状のスタッド２１を、一対備える。
【００４９】
横方向に距離をあけて互いに平行に位置する一対のスタッド２１間に、ロックウール等の吸音材２２が取り付けられる。また、第二パネル２０の中央部に位置するスタッド２１と、第二パネル２０の横方向の他端部との間にも、ロックウール等の吸音材２２が取り付けられる。
【００５０】
第二パネル２０の一面側には、下地材をなすボード２３（石膏ボード）が、吸音材２２を覆うように貼り付けられる。ボード２３の縦方向の長さは、スタッド２１や吸音材２２の縦方向の長さよりも短い。第二パネル２０においては、縦方向の一端側の領域（取付時に下部となる領域）を除いて、ボード２３が貼り付けられる。第二パネル２０の一面側のうちボード２３が貼り付けられない領域からは、吸音材２２の一部や枠材２５が露出する。
【００５１】
第二パネル２０の縦方向の端部には、Ｌ字型の取付金具２４が固定される。取付金具２４は、第二パネル２０の縦方向の端部から突出する突片２４１を有する。
【００５２】
第二壁ブロック２においても、基本パネルＰ１と小型パネルＰ２をどのように組み合わせるかは、適宜に選択可能である。小型パネルＰ２についても、第一壁ブロック１と第二壁ブロック２とで共通化される（図６Ａ−図６Ｃ参照）。本実施形態では、複数の第二パネル２０を基本パネルＰ１だけで構成したが、基本パネルＰ１と小型パネルＰ２で構成することや、小型パネルＰ２だけで構成することも可能である。
【００５３】
以上、工場等であらかじめ製造するスタートパネル３０、第一パネル１０及び第二パネル２０の構造について説明した。
【００５４】
以下においては、スタートパネル３０、第一パネル１０及び第二パネル２０を用いて、施工現場で間仕切り壁Ｗを施工する手順について、説明する。
【００５５】
まず、図７等に示すように、建物９の梁構造９０１に、梁下金具４を固定する。梁下金具４は、梁構造９０１の下面に固定される固定片４１と、固定片４１の幅方向（一方向Ｄ１及び上下方向と直交する方向）の両端から下方に伸びる一対の連結片４２とを有し、下方に開口した金具である。
【００５６】
また、図８等に示すように、建物９の基礎９０２（布基礎）上に、複数の基礎金具５を一方向Ｄ１に距離をあけて固定し、これら複数の基礎金具５上に、目板材６を固定する。
【００５７】
目板材６は、長板状の本体部６１と、本体部６１から下方に突出する複数の支持脚６２とを有する。複数の支持脚６２は、本体部６１の幅方向（一方向Ｄ１及び上下方向と直交する方向）に、互いに距離をあけて平行に位置する。各支持脚６２の下端が、基礎９０２に当接する。目板材６は、基礎９０２を挟んで位置する床パネル９３間の隙間を埋めるように、基礎９０２上に支持される（図３参照）。
【００５８】
目板材６には、幅方向の一方の側の支持脚６２の内面に当接または近接するように、ロックウール等の吸音材６３が取り付けられる。目板材６が基礎９０２上に固定された状態で、両側の支持脚６２間に基礎金具５が位置し、一方の側の支持脚６２と基礎金具５との間に、吸音材６３が位置する。
【００５９】
さらに目板材６には、本体部６１の幅方向の中央にスリット６４が形成されている。スリット６４は、本体部６１の上面から下方に切欠いた形状を有する。平面視において、スリット６４は一方向Ｄ１に沿って一直線状の形状を有する。スリット６４は、上下に貫通する形状であるが、有底溝状に形成することも可能である。
【００６０】
スリット６４は、目板材６を通じて音が伝播されることを抑え、遮音性を高める効果を発揮する。また、スリット６４は、間仕切り壁Ｗの表側半部が載置される領域と、間仕切り壁Ｗの裏側半部が載置される領域とを区切る目安となるため、施工性を高めるという効果を発揮する。
【００６１】
次いで、スタートパネル３０を、基礎９０２上の目板材６と、目板材６の上方に位置する梁下金具４との間に、設置する。この工程を「スタートパネル設置工程Ｓ０」と称する。
【００６２】
スタートパネル設置工程Ｓ０では、スタートパネル３０を、躯体９０の最も外壁９１側の箇所に、目板材６や梁下金具４を介して固定する（図１、図２等参照）。
【００６３】
具体的には、スタートパネル３０の上端部に設けた取付金具３４の突片３４１（図４Ａ、図４Ｃ等参照）を、梁下金具４の連結片４２（図７等参照）に当て、突片３４１と連結片４２をビス等の固着具で固定することで、スタートパネル３０の上端部を梁下金具４に固定する。
【００６４】
また、スタートパネル３０の下端部を目板材６の上面の表側部分に載せ、スタートパネル３０が備える吸音材３２の下端部を少し持ち上げた状態で、下側の枠材３５に対してビス等の固着具を打ち込む。これにより、スタートパネル３０の下端部を目板材６に固定する。
【００６５】
スタートパネル３０の上端部と下端部を躯体９０側に固定したうえで、施工現場にて、スタートパネル３０の一面側にボード３６（図１、図２等参照）を貼り付ける。ボード３６はスタートパネル３０の下地材を構成する。
【００６６】
次いで、複数の第一パネル１０を、目板材６と梁下金具４との間に、順に設置していく。この工程を「第一パネル設置工程Ｓ１」と称する。
【００６７】
第一パネル設置工程Ｓ１では、一番目の第一パネル１０（基本パネルＰ１）をスタートパネル３０と隣接する位置に設置し、その後に、二番目の第一パネル１０（基本パネルＰ１）を、一番目の第一パネル１０と隣接する位置に設置する。その後に、三番目の第一パネル１０（小型パネルＰ２）を、二番目の第一パネル１０と隣接する位置に設置する。
【００６８】
つまり、最も外壁９１側に位置するスタートパネル３０から、一方向Ｄ１に沿って段々と外壁９１から離れる方向に向かって、複数の第一パネル１０を順に設置していく。図２中の白抜き矢印Ｒ１は、パネル設置の順路の方向を示す矢印である。
【００６９】
第一パネル１０を設置する構造は、スタートパネル３０を設置する構造と同様であり、第一パネル１０の上端部に設けた取付金具１４の突片１４１（図４Ｃ、図５Ｃ等参照）を、梁下金具４の連結片４２に固定することで、第一パネル１０の上端部を梁下金具４に固定する。また、第一パネル１０の下端部を目板材６の上面の表側部分に載せ、第一パネル１０が備える吸音材１２の下端部を少し持ち上げた状態で、下側の枠材１５に対してビス等の固着具を打ち込む。これにより、第一パネル１０の下端部を目板材６に固定する。
【００７０】
第一パネル１０を固定した後に、第一パネル１０の一面側の下部に、吸音材１２の下部や下側の枠材１５を隠すように、石膏ボードからなる第一の下部ボード１６を貼り付ける（図１、図３参照）。この工程を、以下において「第一の貼付工程Ｓ１１」と称する。
【００７１】
第一の貼付工程Ｓ１１で貼り付けられた第一の下部ボード１６は、第一パネル１０にあらかじめ固定されたボード１３と面一に位置し、ボード１３と共に第一パネル１０の下地材を構成する。
【００７２】
上記のように第一パネル１０を設置して第一壁ブロック１を形成した後は、あらかじめ製造した第一パネル１０を用いるのではなく、現場で位置を合わせながら単独のスタッド１７を設置し、さらに下地材をなすボード１９（石膏ボード）や吸音材を配置する等して、間仕切り壁Ｗの表側半部の残りの部分を、形成する。
【００７３】
このように形成された間仕切り壁Ｗの表側半部には、さらに石膏ボード等で上貼りが施される。
【００７４】
次いで、間仕切り壁Ｗの裏側半部を、順に形成する。
【００７５】
ここで施工を順に行う方向は、表側で施工を行う方向とは逆方向（つまり外壁９１に近づく方向）である。図２中の白抜き矢印Ｒ２は、パネル設置の往路の方向を示す矢印である。
【００７６】
まずは、あらかじめ製造した第二パネル２０を用いるのではなく、現場で位置を合わせながら単独のスタッド２７を設置し、さらに吸音材２８や下地材をなすボード２９（石膏ボード）を配置する等して、間仕切り壁Ｗの裏側のスタート部分を形成する。
【００７７】
次いで、複数の第二パネル２０を、目板材６と梁下金具４との間に、順に設置していく。この工程を「第二パネル設置工程Ｓ２」と称する。
【００７８】
第二パネル設置工程Ｓ２では、一番目の第二パネル２０（基本パネルＰ１）を、裏側のスタート部分と隣接する位置に設置し、その後に、二番目の第二パネル２０（基本パネルＰ１）を、一番目の第二パネル２０と隣接する位置に設置する。
【００７９】
つまり、最も外壁９１から離れて位置するスタート部分から、一方向Ｄ１に沿って段々と外壁９１に近づく方向に、複数の第二パネル２０を順に設置していく。
【００８０】
このとき、第二パネル２０に含まれる各スタッド２１が、表側の第一壁ブロック１で一列に並んだ複数のスタッド１１に対して千鳥状に位置するように、位置を合わせながら第二パネル２０を配置していく。
【００８１】
第二パネル２０を設置する構造は、第一パネル１０を設置する構造と同様である。つまり、第二パネル２０の上端部に設けた取付金具２４の突片２４１（図４Ｃ、図５Ｃ等参照）を、梁下金具４の連結片４２に固定することで、第二パネル２０の上端部を梁下金具４に固定する。また、第二パネル２０の下端部を目板材６の上面の裏側部分に載せ、第二パネル２０が備える吸音材２２の下端部を少し持ち上げた状態で、下側の枠材２５に対してビス等の固着具を打ち込む。これにより、第二パネル２０の下端部を目板材６に固定する。
【００８２】
第二パネル２０を固定した後に、第二パネル２０の一面側の下部には、吸音材２２の一部や下側の枠材２５を隠すように、石膏ボードからなる第二の下部ボード２６（図３参照）を貼り付ける。この工程を、以下において「第二の貼付工程Ｓ２１」と称する。
【００８３】
第二の貼付工程Ｓ２１で貼り付けられた第二の下部ボード２６は、第一パネル１０にあらかじめ固定されたボード２３と面一に位置し、ボード２３と共に第二パネル２０の下地材を構成する。
【００８４】
上記のように第二パネル２０を設置して第二壁ブロック２を形成した後は、あらかじめ製造された第二パネル２０を用いるのではなく、現場で位置を合わせながら単独のスタッド２７を設置し、さらに吸音材２８や下地材をなすボード２９を配置する等して、間仕切り壁Ｗの裏側半部の残りの部分を形成する。このスタッド２７は、表側でスタートパネル３０を設置する際に、スタートパネル３０の裏側に設置しておくことも可能である。
【００８５】
このように形成された間仕切り壁Ｗの裏側半部にも、さらに石膏ボード等で上貼りが施される。
【００８６】
以上のように施工することで、遮音性の高い間仕切り壁Ｗが、施工の際に大きな負担を伴うことなく形成される。
【００８７】
つまり、本実施形態の間仕切り壁Ｗでは、工場であらかじめ製造した各パネル１０，２０，３０を用いて、現場で効率的に間仕切り壁Ｗを形成することができる。しかも、各パネル１０，２０，３０は、それぞれが間仕切り壁Ｗの表側半部または裏側半部の一部を構成するものであり、一つ当たりの重量が抑えられることから、一人での取り付け作業が可能になるといったように、施工の負担が大幅に抑えられる。
【００８８】
また、本実施形態の間仕切り壁Ｗでは、まず表側において第一パネル１０を並べて固定した後に、裏側において、第一パネル１０と位置をあわせて第二パネル２０を固定していくことで、表側のスタッド１１と裏側のスタッド２１が千鳥状に配置される。すなわち、第一パネル１０や第二パネル２０を用いた簡単な施工で、スタッド１１，２１が千鳥状に配置された、遮音性の高い間仕切り壁Ｗが得られる。
【００８９】
以上、添付図面に基づいて詳述したように、本実施形態の間仕切り壁Ｗは、第一の特徴として、建物９の躯体９０に固定された第一壁ブロック１と、第一壁ブロック１とは裏表の位置で躯体９０に固定され、第一壁ブロック１と共に間仕切り壁Ｗの主要部を構成する第二壁ブロック２とを具備する。
【００９０】
第一壁ブロック１は、スタッド１１と吸音材１２が一体に組み込まれた複数の第一パネル１０が、一方向Ｄ１に沿って並んだ構造を有する。第二壁ブロック２は、スタッド２１と吸音材２２が一体に組み込まれた複数の第二パネル２０が、一方向Ｄ１に沿って並んだ構造を有する。
【００９１】
したがって、本実施形態の間仕切り壁Ｗでは、工場等であらかじめ製造された第一パネル１０と第二パネル２０を施工現場まで搬送し、これらを施工現場で取り付ける作業で、遮音性の高い間仕切り壁Ｗが得られる。しかも、第一パネル１０や第二パネル２０は、それぞれが間仕切り壁Ｗの表側半部または裏側半部の一部を構成するもの（ハーフパネル）であるから、スタッド１１，２１や吸音材１２，２２を含むものの一つ当たりの重量が少なくて済み、施工の負担が大幅に抑えられる。
【００９２】
また、本実施形態の間仕切り壁Ｗは、第二の特徴として、下記の構成を付加的に備える。
【００９３】
本実施形態の間仕切り壁Ｗは、スタッド３１と吸音材３２が一体に組み込まれたスタートパネル３０をさらに備える。スタートパネル３０は、第一壁ブロック１よりも躯体９０の外壁９１側に固定され、一方向Ｄ１に沿って第一壁ブロック１と並んで位置する。
【００９４】
したがって、本実施形態の間仕切り壁Ｗでは、工場等であらかじめ製造されたスタートパネル３０をまず取り付け、これと一方向Ｄ１に並ぶように複数の第一パネル１０を取り付けるといった作業で、間仕切り壁Ｗの表側半部を、効率的に組み立てることができる。
【００９５】
また、本実施形態の間仕切り壁Ｗは、第三の特徴として、下記の構成を付加的に備える。
【００９６】
本実施形態の間仕切り壁Ｗでは、複数の第一パネル１０の各々に組み込まれたスタッド１１と、複数の第二パネル２０の各々に組み込まれたスタッド２１とが、一方向Ｄ１に沿って千鳥状に位置する。
【００９７】
したがって、本実施形態の間仕切り壁Ｗでは、あらかじめ製造された複数の第一パネル１０と複数の第二パネル２０を、施工現場で位置を合わせて取り付けるという作業で、千鳥状に位置するスタッド１１，２１の列が得られる。つまり、スタッド１１，２１が千鳥状に配置された遮音性の高い間仕切り壁Ｗを、簡単な作業で形成することができる。
【００９８】
また、本実施形態の間仕切り壁Ｗは、第四の特徴として、下記の構成を付加的に備える。
【００９９】
本実施形態の間仕切り壁Ｗにおいて、複数の第一パネル１０と複数の第二パネル２０の少なくとも一部は、一面側のうち下部を除いた領域に、ボード１３，２３が貼り付けられたパネルである。
【０１００】
したがって、本実施形態の間仕切り壁Ｗでは、第一パネル１０や第二パネル２０を躯体９０に固定する作業を、それぞれの開放された（ボード１３，２３で覆われない）下部に対してビス等の固着具を打ち込むという作業で行うことができ、その後に該下部を塞げばよいため、施工が効率化される。
【０１０１】
また、本実施形態の間仕切り壁Ｗは、第五の特徴として、下記の構成を付加的に備える。
【０１０２】
本実施形態の間仕切り壁Ｗにおいて、複数の第一パネル１０と複数の第二パネル２０はそれぞれ、躯体９０の梁構造９０１に固定される取付金具１４，２４が、上端部に固定されたものである。
【０１０３】
したがって、本実施形態の間仕切り壁Ｗでは、第一パネル１０や第二パネル２０を躯体９０に固定する際に、それぞれの上端部に設けた取付金具１４，２４を、梁下金具４を介して梁構造９０１に固定すればよく、施工が効率化される。
【０１０４】
また、本実施形態の間仕切り壁Ｗは、第六の特徴として、下記の構成を付加的に備える。
【０１０５】
本実施形態の間仕切り壁Ｗにおいて、建物９は、複数の住戸９２が水平方向に隣接する集合住宅である。間仕切り壁Ｗは、複数の住戸９２を仕切る界壁である。
【０１０６】
したがって、本実施形態の間仕切り壁Ｗ（界壁）によれば、隣接する住戸９２間で音が伝播することを効果的に抑制することができ、しかも、施工の負担を少なくすることができる。
【０１０７】
また、本実施形態の間仕切り壁Ｗの施工方法（以下、単に「本実施形態の施工方法」と称する。）は、第一の特徴として、第一パネル設置工程Ｓ１と第二パネル設置工程Ｓ２を備える。
【０１０８】
第一パネル設置工程Ｓ１は、スタッド１１と吸音材１２が一体に組み込まれた複数の第一パネル１０を用い、複数の第一パネル１０を、一方向Ｄ１に並んだ状態で建物９の躯体９０に固定することで、第一壁ブロック１を形成する工程である。
【０１０９】
第二パネル設置工程Ｓ２は、スタッド２１と吸音材２２が一体に組み込まれた複数の第二パネル２０を用い、複数の第二パネル２０を、一方向Ｄ１に並んだ状態で躯体９０に固定することで、第一壁ブロック１とは裏表の位置に第二壁ブロック２を形成する工程である。本実施形態の施工方法では、第一壁ブロック１と第二壁ブロック２とで間仕切り壁Ｗの主要部を形成する。
【０１１０】
したがって、本実施形態の施工方法では、工場等であらかじめ製造された第一パネル１０と第二パネル２０を施工現場まで搬送し、これらを施工現場で裏表の位置に順次取り付ける作業によって、遮音性の高い間仕切り壁Ｗが得られる。しかも、第一パネル１０や第二パネル２０は、それぞれが間仕切り壁Ｗの表側半部または裏側半部の一部を構成するもの（ハーフパネル）であるから、一つ当たりの重量が少なくて済み、取り付け作業が一人で可能になるといったように、施工の負担が大幅に抑えられる。
【０１１１】
また、本実施形態の施工方法は、第二の特徴として、下記の構成を付加的に備える。
【０１１２】
本実施形態の施工方法は、スタッド３１と吸音材３２が一体に組み込まれたスタートパネル３０を、躯体９０に固定するスタートパネル設置工程Ｓ０をさらに含む。そして、スタートパネル設置工程Ｓ０で、スタートパネル３０を躯体９０に固定した後に、第一パネル設置工程Ｓ１で、一方向Ｄ１に沿ってスタートパネル３０と並んで位置するように、複数の第一パネル１０を躯体９０に固定する。
【０１１３】
したがって、本実施形態の施工方法では、工場等であらかじめ製造されたスタートパネル３０を躯体９０に取り付け、これと一方向Ｄ１に並ぶように複数の第一パネル１０を順次取り付けるといった作業で、間仕切り壁Ｗの表側半部を、効率的に組み立てることができる。
【０１１４】
また、本実施形態の施工方法は、第三の特徴として、下記の構成を付加的に備える。
【０１１５】
本実施形態の施工方法において、第二パネル設置工程Ｓ２では、複数の第一パネル１０の各々に組み込まれたスタッド１１と、複数の第二パネル２０の各々に組み込まれたスタッド２１とが、一方向Ｄ１に沿って千鳥状に位置するように、複数の第二パネル２０を躯体９０に固定する。
【０１１６】
したがって、本実施形態の施工方法では、あらかじめ製造された複数の第一パネル１０と複数の第二パネル２０を用い、複数の第一パネル１０を取り付けた後に、これと位置を合わせて複数の第二パネル２０を取り付けるという作業で、千鳥状に位置するスタッド１１，２１の列が得られる。つまり、スタッド１１，２１が千鳥状に配置された遮音性の高い間仕切り壁Ｗを、簡単な作業で形成することができる。
【０１１７】
また、本実施形態の施工方法は、第四の特徴として、下記の構成を付加的に備える。
【０１１８】
本実施形態の施工方法において、複数の第一パネル１０と複数の第二パネル２０の少なくとも一部は、一面側のうち下部を除いた部分を覆うように、ボード１３，２３が貼り付けられたパネルで構成される。本実施形態の施工方法は、躯体９０に固定された前記パネルの下部を覆うように、前記パネルに下部ボード１６，２６を貼り付ける貼付工程Ｓ１１，Ｓ２１を、更に備える。
【０１１９】
したがって、本実施形態の施工方法では、第一パネル１０や第二パネル２０を躯体９０に固定する作業を、それぞれの開放された（ボード１３，２３で覆われない）下部に対してビス等の固着具を打ち込むという作業で行うことができ、その後に該下部を下部ボード１６，２６で塞げばよいため、施工が効率化される。
【０１２０】
また、本実施形態の施工方法は、第五の特徴として、下記の構成を付加的に備える。
【０１２１】
本実施形態の施工方法において、複数の第一パネル１０と複数の第二パネル２０はそれぞれ、取付金具１４，２４が上端部に固定されたものである。第一パネル設置工程Ｓ１では、躯体９０に固定された梁下金具４に対して、複数の第一パネル１０のそれぞれの取付金具１４が固定される。第二パネル設置工程Ｓ２では、梁下金具４に対して、複数の第二パネル２０のそれぞれの取付金具２４が固定される。
【０１２２】
したがって、本実施形態の施工方法では、第一パネル１０や第二パネル２０を躯体９０に固定する際に、それぞれの上端部に設けた取付金具１４，２４を梁構造９０１に固定すればよく、施工が効率化される。
【０１２３】
また、本実施形態の施工方法は、第六の特徴として、下記の構成を付加的に備える。
【０１２４】
本実施形態の施工方法において、建物９は、複数の住戸９２が水平方向に隣接する集合住宅である。間仕切り壁Ｗは、複数の住戸９２を仕切る界壁である。
【０１２５】
したがって、本実施形態の施工方法では、隣接する住戸９２間で音が伝播することを効果的に抑制することができ、しかも、施工の負担を少なくすることができる。
【０１２６】
以上、間仕切り壁の構造及び施工方法について説明したが、間仕切り壁の構造及び施工方法は前記した一実施形態に限定されず、適宜の設計変更を行うことが可能である。
【符号の説明】
【０１２７】
１      第一壁ブロック
１０    第一パネル
１１    スタッド
１２    吸音材
１３    ボード
１４    取付金具
１６    第一の下部ボード
２      第二壁ブロック
２０    第二パネル
２１    スタッド
２２    吸音材
２３    ボード
２４    取付金具
２６    第二の下部ボード
３０    スタートパネル
３１    スタッド
３２    吸音材
４      梁下金具
９      建物
９０    躯体
９０１  梁構造
９１    外壁
９２    住戸
Ｄ１    一方向
Ｗ      間仕切り壁
Ｓ０    スタートパネル設置工程
Ｓ１    第一パネル設置工程
Ｓ１１  第一の貼付工程
Ｓ２    第二パネル設置工程
Ｓ２１  第一の貼付工程
【図１】
0006684057.tif 000002
【図２】
0006684057.tif 000003
【図３】
0006684057.tif 000004
【図４】
0006684057.tif 000005
【図５】
0006684057.tif 000006
【図６】
0006684057.tif 000007
【図７】
0006684057.tif 000008
【図８】
0006684057.tif 000009